(57)【要約】【課題】電磁弁および給水流路の配置の最適化をしつつ、電子部品の被水を抑制することができる洗浄水タンク装置及び水洗大便器を提供すること。【解決手段】実施形態に係る洗浄水タンク装置は、洗浄水タンクと、洗浄水タンクに給水を行う給水装置とを備える。洗浄水タンクは、洗浄水を貯水する貯水タンク本体と、貯水タンク本体の上部開口を覆う蓋体とを有する。給水装置は、洗浄水タンク内に配置され、給水流路が形成された給水本体と、給水本体に弁体部が設けられるとともに、貯水タンク本体と蓋体との間に形成された開口部を介して電子部品が洗浄水タンク外に配置され、給水流路を電気的に開閉する電磁弁を有する。蓋体は、貯水タンク本体の内側に位置し、洗浄水を電子部品よりも下方に誘導するガイド部を有する。【選択図】図５
2020133304.tif 000002
【特許請求の範囲】
【請求項１】
洗浄水タンクと、
前記洗浄水タンクに給水を行う給水装置と、
を備え、
前記洗浄水タンクは、
洗浄水を貯水する貯水タンク本体と、
前記貯水タンク本体の上部開口を覆う蓋体と、
を有し、
前記給水装置は、
前記洗浄水タンク内に配置され、給水流路が形成された給水本体と、
前記給水本体に弁体部が設けられるとともに、前記貯水タンク本体と前記蓋体との間に形成された開口部を介して電子部品が前記洗浄水タンク外に配置され、前記給水流路を電気的に開閉する電磁弁を有し、
前記蓋体は、
前記貯水タンク本体の内側に位置し、洗浄水を前記電子部品よりも下方に誘導するガイド部を有する、洗浄水タンク装置。
【請求項２】
前記ガイド部は、
前記貯水タンク本体の内壁面に対向するように垂下する前記蓋体の内リブである、請求項１に記載の洗浄水タンク装置。
【請求項３】
前記内リブは、
前記電子部品よりも下方に下端を有する、請求項２に記載の洗浄水タンク装置。
【請求項４】
前記蓋体の天面は、
少なくとも前記弁体部の直上に位置する部分が水平である、請求項１〜３のいずれか１つに記載の洗浄水タンク装置。
【請求項５】
前記給水装置は、
給水本体に取り付けられ、前記給水流路を機械的に開閉する流路開閉部と、
前記流路開閉部が前記給水本体から外れることを防止するために前記給水本体に取り付けられる外れ防止部材と、
を備え、
前記蓋体は、
前記外れ防止部材の抜け方向に位置し、前記外れ防止部材が前記抜け方向に移動した状態で、前記外れ防止部材の前記電子部品側が低くなるように前記外れ防止部材と接触する、請求項１〜４のいずれか１つに記載の洗浄水タンク装置。
【請求項６】
前記電子部品は、
コード部材が下向きに差し込まれるコード差込部を上面に有し、
前記コード部材は、
少なくとも一部が前記コード差込部より下方に延伸する、請求項１〜５のいずれか１つに記載の洗浄水タンク装置。
【請求項７】
請求項１〜６のいずれか１つに記載の洗浄水タンク装置と、
便器と、
を備える、水洗大便器。
【発明の詳細な説明】
【技術分野】
【０００１】
開示の実施形態は、洗浄水タンク装置及び水洗大便器に関する。
【背景技術】
【０００２】
従来、便器を洗浄するための洗浄水を貯水する洗浄水タンク装置が知られている。洗浄水タンク装置は、たとえば、洗浄水タンクと、洗浄水タンクへの給水を行う給水装置とを備える。給水装置は、給水流路と、給水流路を開閉する電磁弁とを備えており、電磁弁は、弁体部と、弁体部を駆動するモータ等の電子部品とを備える。
【０００３】
特許文献１には、電磁弁および給水流路が洗浄水タンクの外に配置された洗浄水タンク装置が開示されている。
【先行技術文献】
【特許文献】
【０００４】
【特許文献１】特開２０１４−７０４１５号公報
【発明の概要】
【発明が解決しようとする課題】
【０００５】
電磁弁および給水流路を洗浄水タンク内に収めることができれば、たとえば洗浄水タンクの容積を増加させるなど、洗浄水タンク装置の更なる改善が可能となる。しかしながら、単に、電磁弁および給水装置を洗浄水タンク内に配置しようとすると、電子部品が被水し易くなる。
【０００６】
実施形態の一態様は、上記に鑑みてなされたものであって、電磁弁および給水流路の配置の最適化をしつつ、電子部品の被水を抑制することができる洗浄水タンク装置及び水洗大便器を提供することを目的とする。
【課題を解決するための手段】
【０００７】
実施形態の一態様に係る洗浄水タンク装置は、洗浄水タンクと、前記洗浄水タンクに給水を行う給水装置と、を備え、前記洗浄水タンクは、洗浄水を貯水する貯水タンク本体と、前記貯水タンク本体の上部開口を覆う蓋体と、を有し、前記給水装置は、前記洗浄水タンク内に配置され、給水流路が形成された給水本体と、前記給水本体に弁体部が設けられるとともに、前記貯水タンク本体と前記蓋体との間に形成された開口部を介して電子部品が前記洗浄水タンク外に配置され、前記給水流路を電気的に開閉する電磁弁を有し、前記蓋体は、前記貯水タンク本体の内側に位置し、洗浄水を前記電子部品よりも下方に誘導するガイド部を有する。
【０００８】
給水本体と電磁弁の弁体部とを洗浄水タンク内に配置することで、たとえば、洗浄水タンク外にこれらの設置スペースを確保する必要がなくなるため、その分洗浄水タンクの容積を増やすことができる。また、電磁弁の電子部品を洗浄水タンク外に配置することで、電磁弁の全てを洗浄水タンク内に配置した場合と比較して、電子部品の被水を抑制することができる。
【０００９】
また、洗浄水タンクの内部と外部とに跨がって電磁弁を配置させるための開口部は、貯水タンク本体と蓋体との間に形成される。これにより、作業者は、貯水タンク本体の上部開口から貯水タンク本体内に給水装置を差し入れた後、貯水タンク本体に蓋体を取り付けるだけで、弁体部が洗浄水タンク内に配置され電子部品が洗浄水タンク外に配置された状態とすることができる。このように、貯水タンク本体と蓋体との間に開口部を形成することで、電磁弁のうち弁体部を洗浄水タンク内に配置し電子部品を洗浄水タンク外に配置する場合における給水装置の洗浄水タンクへの組み付け作業を容易化することができる。
【００１０】
また、貯水タンク本体と蓋体との間に開口部を形成した場合、たとえば洗浄水タンク内で発生した結露水等の水分が貯水タンク本体と蓋体との隙間から洗浄水タンク外に漏れ出て電子部品に付着するおそれがある。これに対し、実施形態の一態様に係る洗浄水タンク装置では、貯水タンク本体の内側に位置し、洗浄水を電子部品よりも下方に誘導するガイド部が蓋体に設けられている。このため、たとえば、蓋体の内側に付着した洗浄水が蓋体を伝って流れ落ちてきたとしても、かかる洗浄水はガイド部によって電子部品よりも下方に誘導されるため、貯水タンク本体と蓋体との隙間から洗浄水タンク外に漏れ出にくい。したがって、洗浄水タンク外に配置される電子部品の被水を抑制することができる。
【００１１】
このように、上述した洗浄水タンク装置によれば、電磁弁および給水流路の配置の最適化をしつつ、電子部品の被水を抑制することができる洗浄水タンク装置及び水洗大便器を提供することができる。
【００１２】
また、上記した洗浄水タンク装置では、前記ガイド部は、前記貯水タンク本体の内壁面に対向するように垂下する前記蓋体の内リブである。
【００１３】
かかる構成によれば、内リブを設けることで、蓋体の天面や内側壁に付着した洗浄水をスムーズに貯水タンク本体内に落下させることができる。これにより、電子部品の被水を抑制することができる。
【００１４】
また、上記した洗浄水タンク装置では、前記内リブは、前記電子部品よりも下方に下端を有する。
【００１５】
かかる構成によれば、洗浄水を電子部品よりも下方に確実に誘導することができることから、電子部品の被水をより確実に抑制することができる。
【００１６】
また、上記した洗浄水タンク装置では、前記蓋体の天面は、少なくとも前記弁体部の直上に位置する部分が水平である。
【００１７】
かかる構成によれば、弁体部の直上における蓋体の天面に付着した洗浄水が蓋体の内側壁に伝いにくくなり、天面から直接貯水タンク本体内に落下し易くなる。このため、電子部品の被水を抑制することができる。
【００１８】
また、上記した洗浄水タンク装置では、前記給水装置は、給水本体に設けられ、前記給水流路を機械的に開閉する流路開閉部と、前記流路開閉部が前記給水本体から外れることを防止するために前記給水本体に取り付けられる外れ防止部材と、を備え、前記蓋体は、前記外れ防止部材の抜け方向に位置し、前記外れ防止部材が前記抜け方向に移動した状態で、前記外れ防止部材の前記電子部品側が低くなるように前記外れ防止部材と接触する。
【００１９】
外れ防止部材は、給水装置内における圧力の上昇や洗浄水の流通によって生じる振動等により、外れ防止部材が抜け方向に移動する場合がある。かかる構成によれば、外れ防止部材が抜け方向に移動した場合に、蓋体は、外れ防止部材の電子部品側が低くなるように外れ防止部材と接触するため、電子部品側に洗浄水が飛散し難くなる。このため、電子部品の被水を抑制することができる。
【００２０】
また、上記した洗浄水タンク装置では、前記電子部品は、コード部材が下向きに差し込まれるコード差込部を上面に有し、前記コード部材は、少なくとも一部が前記コード差込部より下方に延伸する。
【００２１】
かかる構成によれば、コード差込部に対してコード部材が下向きに差し込まれるため、コード部材はコード差込部よりも上方に一旦延伸した後、コード差込部よりも下方に延伸する。これにより、洗浄水タンクの外側に付着した洗浄水がコード部材に付着したとしても、コード部材を伝って電子部品まで到達し難くすることができる。このため、電子部品の被水を抑制することができる。
【発明の効果】
【００２２】
実施形態の一態様によれば、電磁弁および給水流路の配置の最適化をしつつ、電子部品の被水を抑制することができる洗浄水タンク装置及び水洗大便器を提供することができる。
【図面の簡単な説明】
【００２３】
【図１】図１は、第１の実施形態に係る水洗大便器の模式側面図である。
【図２】図２は、第１の実施形態に係る洗浄水タンク装置の模式斜視図（その１）である。
【図３】図３は、第１の実施形態に係る洗浄水タンク装置の模式斜視図（その２）である。
【図４】図４は、第１の実施形態に係る洗浄水タンク装置の模式拡大正面図（その１）である。
【図５】図５は、第１の実施形態に係る洗浄水タンク装置の模式拡大断面図である。
【図６】図６は、第１の実施形態に係る洗浄水タンク装置の模式拡大正面図（その２）である。
【図７】図７は、第２の実施形態に係る洗浄水タンク装置の模式拡大断面図である。
【図８】図８は、変形例に係る洗浄水タンク装置の模式拡大断面図である。
【発明を実施するための形態】
【００２４】
以下、添付図面を参照して、本願の開示する洗浄水タンク装置及び水洗大便器の実施形態を詳細に説明する。なお、以下に示す実施形態によりこの発明が限定されるものではない。
【００２５】
（第１の実施形態）
＜水洗大便器の全体構成＞
まず、図１を参照して第１の実施形態に係る水洗大便器について説明する。図１は、第１の実施形態に係る水洗大便器の模式側面（一部断面）図である。なお、図１には、第１の実施形態に係る水洗大便器の右側面を示している。また、図１においては、説明の便宜上、鉛直上向きを正方向とするＺ軸を含む３次元の直交座標系を図示している。なお、直交座標系は、他の図においても図示している場合がある。
【００２６】
また、直交座標系は、Ｘ軸の正方向視を「左側面」、Ｘ軸の負方向視を「右側面」と規定し、Ｙ軸の負方向視を「正面」と規定している。このため、以下の説明では、Ｘ軸方向を左右方向または水平方向ともいう場合がある。
【００２７】
図１に示すように、水洗大便器１は、便器本体（以下、便器という）２と、ボウル部３と、導水路４と、トラップ管路５とを備える。ボウル部３は、ボウル部３の中心側となる内側にオーバーハングしているリム６と、導水路４から供給される洗浄水を吐出する第１吐水口７とを上縁部に備える。第１吐水口７から吐出された洗浄水は、ボウル部３内を旋回しながら、ボウル部３を洗浄する。なお、便器２は、たとえば陶器製である。
【００２８】
ボウル部３は、溜水部８を下側部に備える。なお、図１には、一点鎖線で溜水面Ｗ０を示している。トラップ管路５は、溜水部８の下方に開口する入口５ａと、入口５ａから後方へ延びるように設けられる上昇路５ｂと、上昇路５ｂから連続して延びる下降路５ｃとを備える。下降路５ｃの下端部は、排水ソケット（図示せず）を介して床下の排水管（図示せず）に接続される。
【００２９】
また、ボウル部３は、導水路４から供給される洗浄水を吐出する第２吐水口９を下側部且つ溜水面Ｗ０より上方の位置に備える。第２吐水口９から吐出された洗浄水は、溜水部８の溜水を上下方向に旋回させる。
【００３０】
便器２の導水路４は、便器２に供給する洗浄水を貯留する洗浄水タンク装置１０を上方に備える。洗浄水タンク装置１０は、通常、ケーシング１１に覆われた状態になっており、使用者から見えないようになっている。洗浄水タンク装置１０の洗浄水タンク１２は、便器２の導水路４と連通する排水口（図示省略）を底面に備える。洗浄水タンク１２内の洗浄水は、排水口から導水路４へ排出される。
【００３１】
なお、便器２は、図示のような床置き式に限らず、壁掛け式であってもよい。また、図示の場合では、水洗大便器１は、ボウル部３内の水の落差による流水作用で汚物などを押し流す、いわゆる洗い落し式である例を説明しているが、これに限定されず、水洗大便器１は、たとえば、サイホン作用を利用してボウル部３内の汚物などを吸い込んでトラップ管路５から一気に排出する、いわゆるサイホン式であってもよい。
【００３２】
＜洗浄水タンク装置の構成＞
次に、図２〜図６を参照して第１の実施形態に係る洗浄水タンク装置の構成について説明する。図２および図３は、第１の実施形態に係る洗浄水タンク装置の模式斜視図である。なお、図３には、第１の実施形態に係る洗浄水タンク装置の組み立て途中の状態を示している。
【００３３】
洗浄水タンク装置１０は、便器２の導水路４（図１参照）の上方に設けられ、便器２に供給するための洗浄水を貯留する。
【００３４】
図２および図３に示すように、洗浄水タンク装置１０は、洗浄水タンク１２と、給水装置２０とを備える。給水装置２０は、洗浄水タンク１２内に配置され、水道管などの外部の給水源（図示省略）から供給される洗浄水を洗浄水タンク１２に給水する。なお、給水装置２０は、その大半が洗浄水タンク１２内に収容されるが、電磁弁２２（図５参照）の電子部品２２２については、洗浄水タンク１２外に配置されるようになっている。給水装置２０の詳細については後述する。
【００３５】
洗浄水タンク１２は、洗浄水を貯留する貯水タンク本体１３と、貯水タンク本体１３の上方を覆う蓋体１４とを有している。
【００３６】
貯水タンク本体１３は、たとえば、洗浄水を貯水するための空間を形成する貯水タンク本体下部１３ａと、貯水タンク本体下部１３ａの上に載置される貯水タンク本体上部１３ｂとを有する。貯水タンク本体上部１３ｂには、開口が設けられており、かかる開口を介して給水装置２０等を貯水タンク本体下部１３ａ内に挿入することができるようになっている。
【００３７】
ここでは、貯水タンク本体下部１３ａと貯水タンク本体上部１３ｂとが別体として形成されるものとするが、貯水タンク本体下部１３ａと貯水タンク本体上部１３ｂとは一つの部材として一体的に形成されてもよい。
【００３８】
蓋体１４は、貯水タンク本体１３の貯水タンク本体上部１３ｂに設けられた開口を覆う。蓋体１４には、側面の一部を切り欠くように凹部１４ａが形成される。また、蓋体１４の下端部には、内リブ１４ｂが形成される。図３では、内リブ１４ｂの一部しか示されていないが、内リブ１４ｂは、給水装置２０を囲むように、蓋体１４の下端部の略全周にわたって形成されている。なお、図３に示す破線は、蓋体１４の天面のうち、弁体部２２１の直上に位置する領域Ｄを示している。
【００３９】
洗浄水タンク１２は、蓋体１４が貯水タンク本体１３に取り付けられる際に、蓋体１４と貯水タンク本体１３を係合させる係合部１５を備える。係合部１５は、蓋体１４に設けられた係合凸部１５ａと、貯水タンク本体１３に設けられた係合受部１５ｂとを含む。係合部１５は、蓋体１４が貯水タンク本体１３から脱落することを防止するとともに、蓋体１４のがたつきを防止する。
【００４０】
図３に示すように、係合凸部１５ａは、蓋体１４の外側から下方に向けて突出する。係合凸部１５ａは、先端部が鉤状に形成されたフック部である。なお、係合凸部１５ａは、弾性を有するフック部、いわゆるスナップフィットであることが好ましい。
【００４１】
また、係合受部１５ｂは、係合凸部１５ａと係合する。係合受部１５ｂには、係合凸部１５ａの先端部を嵌め込むことのできる開口が設けられている。なお、係合受部１５ｂは、スナップフィットを嵌め込むことのできる、スナップフィット開口が設けられることが好ましい。
【００４２】
係合部１５は、洗浄水タンク１２の前面に２つ、後面に２つ合計で４つ設けられている。なお、係合部１５の数は、４つに限らず、蓋体１４が貯水タンク本体１３から脱落することを防止することができる数であればよい。
【００４３】
水洗大便器１は、一般家庭のレストルームや、公共のトイレスペースに並設されたトイレブースなどの狭い空間に設置されることが多い。そして、水洗大便器１のメンテナンス作業者は、洗浄水タンク装置１０を便器２に取り付けたままメンテナンスを行う場合などがある。
【００４４】
上述したような係合部１５によれば、作業者は、水洗大便器１が設置されることが多い、狭い空間での作業であっても、蓋体１４を貯水タンク本体１３に容易に着脱することができる。また、係合部１５は、蓋体１４と貯水タンク本体１３を係合するための小さな部品などを必要としないため、小さな部品を誤って便器２内に落としてしまうことなどを抑制することができる。
【００４５】
なお、好ましい態様として、図示のようなスナップフィット構造を示したが、係合部１５は、これに限らず、たとえば、蓋体１４と貯水タンク本体１３にねじ孔を設けて、取り付けねじを螺合する構造であってもよい。この場合では、係合部１５は、比較的容易に成型されるようになる。
【００４６】
＜洗浄水タンクの具体的構成＞
次に、洗浄水タンクの構成について詳細に説明する。図４は、第１の実施形態に係る洗浄水タンク装置の模式拡大正面図である。なお、図４には、洗浄水タンクから給水装置が取り外された状態を示している。
【００４７】
図４に示すように、洗浄水タンク１２は、貯水タンク本体１３と蓋体１４の間に形成された開口部１６を有している。図示の例の場合では、開口部１６は、貯水タンク本体１３の上端面と、蓋体１４の凹部１４ａによって形成されている。具体的には、貯水タンク本体１３の上端面が開口部１６の下辺に相当し、蓋体１４の凹部１４ａが開口部１６の下辺以外の辺に相当する。
【００４８】
ここで、給水装置２０は、給水本体２１と、電磁弁２２とを備える。給水本体２１は、洗浄水が流通する給水流路２１ａを内部に備える。電磁弁２２は、給水流路２１ａを開閉する弁体を含む弁体部２２１と、弁体部２２１における弁体を駆動させるモータ等の電子部品２２２とを備える。
【００４９】
弁体部２２１および電子部品２２２のうち、弁体部２２１は、洗浄水タンク１２の内部に配置される。一方、電子部品２２２は、貯水タンク本体１３と蓋体１４との間に形成される上記開口部１６を介して洗浄水タンク１２の外部に配置される。
【００５０】
図示の例では、開口部１６は、洗浄水タンク１２の前面且つ左側に形成されている。また、開口部１６の近傍には、係合部１５が形成されている。すなわち、係合部１５は、貯水タンク本体１３と蓋体１４の間に形成された開口部１６の近傍（換言すれば、電子部品２２２の近傍）に設けられる。
【００５１】
係合部１５は、貯水タンク本体１３と蓋体１４のがたつきを全体的に防止しており、その中でも、係合部１５の近傍は、特にがたつきを防止する効果が高くなっている。
【００５２】
図示の例では、電子部品２２２は、開口部１６の近くに配置されているため、開口部１６近傍で大きながたつきが生じると、電子部品２２２が被水し易くなってしまう。
【００５３】
これに対し、第１の実施形態に係る洗浄水タンク装置１０によれば、係合部１５は、開口部１６の近傍に設けられるため、より効果的に開口部１６のがたつきを防止することができる。このため、電子部品２２２の被水を抑制することができる。
【００５４】
＜給水装置の具体的構成＞
次に、給水装置の構成について詳細に説明する。図５は、第１の実施形態に係る洗浄水タンク装置の模式拡大断面図である。なお、図５は、電子部品２２２の左右方向の中心をＺ軸およびＹ軸に平行な面に沿って切断し、左側面から見た図である。図５に示すように、給水装置２０は、給水本体２１と、電磁弁２２と、流路開閉部２４と、外れ防止部材２５を有している。
【００５５】
給水本体２１は、洗浄水タンク１２内に配置される。給水本体２１は、給水源から供給された洗浄水が通過する給水流路２１ａを内部に備えている。給水流路２１ａを通過する洗浄水は、矢印Ｗ１で示すように流れ、洗浄水タンク１２に供給される。
【００５６】
電磁弁２２は、上述したように、弁体部２２１と電子部品２２２とを備える。このうち、弁体部２２１は、洗浄水タンク１２内に配置され、上方に蓋体１４が位置している。弁体部２２１は、電子部品２２２によって弁体が駆動されることにより給水流路２１ａを電気的に開閉する。
【００５７】
電子部品２２２は、たとえば電力によって動作するモータである。なお、電子部品２２２は、モータに限らず、ソレノイド等であってもよい。また、電子部品２２２は、モータやソレノイド等のアクチュエータに限らず、たとえば、外部と通信するための部品等であってもよい。
【００５８】
電子部品２２２は、貯水タンク本体１３と蓋体１４の間に形成された開口部１６を介して、洗浄水タンク１２外に配置されるようになっている。
【００５９】
このように、給水本体２１と電磁弁２２の弁体部２２１とを洗浄水タンク１２内に配置することで、たとえば、洗浄水タンク１２外にこれらの設置スペースを確保する必要がなくなるため、その分洗浄水タンク１２の容積を増やすことができる。また、電磁弁２２の電子部品２２２を洗浄水タンク１２外に配置することで、電磁弁２２の全てを洗浄水タンク１２内に配置した場合と比較して、電子部品２２２の被水を抑制することができる。
【００６０】
また、洗浄水タンク１２の内部と外部とに跨がって電磁弁２２を配置させるための開口部１６は、貯水タンク本体１３と蓋体１４との間に形成される。作業者は、貯水タンク本体１３の上部開口から貯水タンク本体１３内に給水装置２０を差し入れた後、貯水タンク本体１３に蓋体１４を取り付ける。これにより、電磁弁２２の弁体部２２１と電子部品２２２との境界部分が開口部で挟み込まれることで、弁体部２２１が洗浄水タンク１２内に配置され電子部品２２２が洗浄水タンク１２外に配置された状態とすることができる。このように、貯水タンク本体１３と蓋体１４との間に開口部１６を形成することで、電磁弁２２のうち弁体部２２１を洗浄水タンク１２内に配置し電子部品２２２を洗浄水タンク１２外に配置する場合における給水装置２０の洗浄水タンク１２への組み付け作業を容易化することができる。
【００６１】
流路開閉部２４は、たとえば、いわゆるボールタップ弁装置を形成し、給水本体２１に取り付けられ、電気を使わずに、貯水タンク本体１３に貯留された洗浄水の水位に応じて給水流路２１ａを機械的に開閉する。図示の例の場合では、給水装置２０は、流路開閉部２４および電磁弁２２の両方で給水流路２１ａの開閉を行うことができる。
【００６２】
図示の例の場合では、流路開閉部２４は、給水本体２１の上部に配置される。流路開閉部２４が給水装置２０から外れてしまうと、給水流路２１ａの中間部分（給水本体２１の上部に位置する部分）が開放されてしまい、給水本体２１の上部から洗浄水が流出してしまう。そこで、流路開閉部２４が給水装置２０から外れることを防止するために、流路開閉部２４を上方から給水本体２１に押さえつけるように外れ防止部材２５が給水本体２１に取り付けられる。
【００６３】
図示の例の場合は、外れ防止部材２５は、中空の円盤型の形状、いわゆるドーナツ形状を有している。外れ防止部材２５は、中空の部分に流路開閉部２４を通過させて、給水本体２１に取り付けられることで、流路開閉部２４が給水装置２０から外れることを防止する。
【００６４】
外れ防止部材２５は、内側に雌ねじ部が設けられており、上部に雄ねじ部が設けられた給水本体２１に対して回転させることによって、給水本体２１に取り付けられる。外れ防止部材２５は、取り付けられるに従って鉛直下向きに移動する。従って、外れ防止部材２５の抜け方向は、鉛直上向きとなる。
【００６５】
ここで、第１の実施形態に係る洗浄水タンク装置１０は、貯水タンク本体１３の内側に位置し、洗浄水を電子部品２２２よりも下方に誘導するガイド部を有する。第１の実施形態においてガイド部は、貯水タンク本体１３の内壁面に対向するように垂下する蓋体１４の内リブ１４ｂである。
【００６６】
内リブ１４ｂは、図５に示すように、蓋体１４が貯水タンク本体１３に取り付けられた状態において、貯水タンク本体１３の内側に収まるように形成されている。
【００６７】
貯水タンク本体１３と蓋体１４との間に開口部１６を形成した場合、たとえば洗浄水タンク１２内で発生した結露水等の水分が貯水タンク本体１３と蓋体１４との隙間から洗浄水タンク１２外に漏れ出て電子部品２２２に付着するおそれがある。これに対し、洗浄水タンク装置１０では、貯水タンク本体１３の内側に位置し、洗浄水を電子部品２２２よりも下方に誘導する内リブ１４ｂ（ガイド部）が蓋体１４に設けられている。このため、たとえば、蓋体１４の内側に付着した洗浄水が蓋体１４を伝って流れ落ちてきたとしても、かかる洗浄水は内リブ１４ｂによって電子部品２２２よりも下方に誘導されるため、貯水タンク本体１３と蓋体１４との隙間から洗浄水タンク１２外に漏れ出にくい。したがって、洗浄水タンク１２外に配置される電子部品２２２の被水を抑制することができる。
【００６８】
さらに、内リブ１４ｂを設けることで、蓋体１４の天面や内側壁に付着した洗浄水をスムーズに貯水タンク本体１３内に落下させることができる。これによっても、電子部品２２２の被水を抑制することができる。
【００６９】
また、内リブ１４ｂは、電子部品２２２よりも下方に下端を有する。これにより、洗浄水を電子部品２２２よりも下方に確実に誘導することができることから、電子部品２２２の被水をより確実に抑制することができる。
【００７０】
また、蓋体１４の天面は、少なくとも弁体部２２１の直上に位置する部分が水平である。
【００７１】
これにより、弁体部２２１の上方における蓋体１４の天面に付着した洗浄水が蓋体１４の内側壁に伝いにくくなり、天面から直接貯水タンク本体１３内に落下し易くなる。このため、電子部品２２２の被水を抑制することができる。
【００７２】
また、図５に示すように、凹部１４ａ（図４参照）は、凹部１４ａと共に開口部１６（図４参照）を形成する貯水タンク本体１３の上端面より貯水タンク本体１３の内側（図示の場合は、左側）に位置している。これにより、凹部１４ａから洗浄水が滴下したとしても、洗浄水は、貯水タンク本体１３内に落下しやすくなる。
【００７３】
＜電子部品の具体的構成＞
次に、電子部品２２２の構成について詳細に説明する。図６は、第１の実施形態に係る洗浄水タンク装置の模式拡大正面図である。なお、図６には、電子部品付近を拡大したものを示している。
【００７４】
図６に示すように、電子部品２２２は、コード部材２６が下向きに差し込まれるコード差込部２２ａを上面に有している。
【００７５】
図示の例の場合では、コード部材２６は、洗浄水タンク装置１０外の電源供給部（図示せず）から電源を供給するための電力線である。なお、コード部材２６は、電力線に限らず、外部と通信するための通信線等であってもよい。
【００７６】
コード部材２６は、コード差込部２２ａに差し込まれている一端側から、コード差込部２２ａに差し込まれていない他端側に延びる途中で、コード差込部２２ａより上方に一度延伸した後、コード差込部２２ａより下方まで延伸する。
【００７７】
そして、コード差込部２２ａより下方に設けられたコード留め部１３ｃで挟み込むように留められ、洗浄水タンク１２の外側を通って、電力供給部へと延伸している。すなわち、コード部材２６は、少なくとも一部がコード差込部２２ａより下方に延伸する。
【００７８】
このような構成によれば、コード差込部２２ａに対してコード部材２６が下向きに差し込まれるため、コード部材２６はコード差込部２２ａよりも上方に一旦延伸した後、コード差込部２２ａよりも下方に延伸する。これにより、洗浄水タンク１２の外側に付着した洗浄水がコード部材２６に付着したとしても、コード部材２６を伝って電子部品２２２まで到達し難くすることができる。このため、電子部品２２２の被水を抑制することができる。
【００７９】
なお、図示の例の場合では、コード留め部１３ｃは、貯水タンク本体１３から上に向かって突出し、上からコード部材２６を挿入できる隙間を形成することで設けられるが、これに限らず、コード留め部１３ｃを鉤状に形成し、コード部材２６を引っかけるように留めてもよい。
【００８０】
上述してきたように、第１の実施形態に係る洗浄水タンク装置１０は、貯水タンク本体１３の内側に設けられ、電子部品２２２よりも下方に洗浄水を誘導するガイド部（ここでは、蓋体１４の内リブ１４ｂ）を有する。したがって、第１の実施形態に係る洗浄水タンク装置１０によれば、電磁弁２２および給水流路２１ａの配置の最適化をしつつ、電子部品２２２の被水を抑制することができる。
【００８１】
（第２の実施形態）
次に、第２の実施形態に係る洗浄水タンク装置について図７を参照して説明する。図７は、第２の実施形態に係る洗浄水タンク装置の模式拡大断面図である。なお、以下の説明では、既に説明した部分と同様の部分については、既に説明した部分と同一の符号を付し、重複する説明を省略する。
【００８２】
なお、図７では、洗浄水タンクのみを断面で示している。図７に示すように、第２の実施形態に係る洗浄水タンク装置１０Ａにおいて蓋体１４Ａは、天面から下に突出する蓋体突出部１４Ａｃを有している。
【００８３】
蓋体突出部１４Ａｃは、外れ防止部材２５の電子部品２２２側の上方に位置するように設けられ、外れ防止部材２５が給水装置２０の上部に取り付けられている状態において、外れ防止部材２５に接触しない程度に近接している。すなわち、蓋体１４Ａは、外れ防止部材２５の抜け方向に位置している。
【００８４】
外れ防止部材２５が給水本体２１から外れてしまった場合、流路開閉部２４は、給水装置２０から外れてしまう。この時、上述したように、給水流路２１ａを通過する洗浄水は、給水本体２１の上部から流出してしまう。
【００８５】
給水流路２１ａを通過する洗浄水は、外れ防止部材２５を給水本体２１の上方に向かって押し流そうとするが、図示の例の場合では、外れ防止部材２５は、中空部分に流路開閉部２４が通されているため、完全に外れてしまうわけではない。このため、貯水タンク本体１３に落下せず、給水本体２１の上方に浮いた状態（異常状態）となる。
【００８６】
給水本体２１の上部から流出した洗浄水は、外れ防止部材２５の下面に当たって様々な方向に飛散してしまう。ここで、仮に、給水本体２１の上部から流出した洗浄水が電子部品２２２側に飛散してしまうと、電子部品２２２が被水するおそれがある。
【００８７】
これに対し、第２の実施形態に係る蓋体１４Ａの蓋体突出部１４Ａｃは、外れ防止部材２５が給水本体２１の上方に浮いた状態（異常状態）となっている場合おいて、外れ防止部材２５の電子部品２２２側と接触する。すなわち、蓋体１４Ａは、外れ防止部材２５が抜け方向に移動した状態で、外れ防止部材２５の電子部品２２２側が低くなるように外れ防止部材２５と接触する。
【００８８】
外れ防止部材２５は、給水装置２０内における圧力の上昇や洗浄水の流通によって生じる振動等により、外れ防止部材２５が抜け方向に移動する場合がある。上述したような構成によれば、外れ防止部材２５が抜け方向に移動した場合に、蓋体１４Ａは、外れ防止部材２５の電子部品２２２側が低くなるように外れ防止部材２５と接触するため、図７に示す矢印Ｗ２の方向に洗浄水を誘導することができ、電子部品２２２側に洗浄水が飛散し難くなる。このため、電子部品２２２の被水を抑制することができる。
【００８９】
次に、第２の実施形態の変形例について図８を参照して説明する。図８は、変形例に係る洗浄水タンク装置の模式拡大断面図である。なお、図８では、図７と同様に、洗浄水タンクのみを断面で示している。
【００９０】
図８に示すように、変形例に係る洗浄水タンク装置１０Ｂの蓋体１４Ｂは、蓋体突出部１４Ａｃを有しておらず、外れ防止部材２５の電子部品２２２から離れる方向に向かって、上り傾斜となるように天面が形成されている。
【００９１】
これにより、外れ防止部材２５が抜け方向に移動した場合に、蓋体１４Ｂは、外れ防止部材２５の電子部品２２２側が低くなるように外れ防止部材２５と接触するため、図８に示す矢印Ｗ２の方向に洗浄水を誘導することができ、電子部品２２２側に洗浄水が飛散し難くなる。このため、電子部品２２２の被水を抑制することができる。
【００９２】
なお、図７に示す洗浄水タンク装置１０Ａによれば、弁体部２２１の上方の天面は、水平となっているため、上述したように、弁体部２２１の上方の天面に付着した洗浄水は、そのまま貯水タンク本体１３内に落下し易くなる。このため、より効果的に電子部品２２２の被水を抑制することができる。
【００９３】
また、図８に示す洗浄水タンク装置１０Ｂによれば、蓋体１４Ｂは、蓋体１４Ｂの天面の形状を変更するだけで、外れ防止部材２５の電子部品２２２側が低くなるように外れ防止部材２５と接触できるため、製造コストを抑制することができる。
【００９４】
上述してきたように、第２の実施形態では、蓋体１４Ａ，１４Ｂは、外れ防止部材２５が抜け方向に移動した状態で、外れ防止部材２５の電子部品２２２側が低くなるように外れ防止部材２５と接触するため、電子部品２２２側に洗浄水が飛散し難くなる。このため、電子部品２２２の被水を抑制することができる。
【００９５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９６】
１      水洗大便器
２      便器
３      ボウル部
４      導水路
５      トラップ管路
５ａ    入口
５ｂ    上昇路
５ｃ    下降路
６      リム
７      第１吐水口
８      溜水部
９      第２吐水口
１０    洗浄水タンク装置
１１    ケーシング
１２    洗浄水タンク
１３    貯水タンク本体
１３ａ  貯水タンク本体下部
１３ｂ  貯水タンク本体上部
１３ｃ  コード留め部
１４    蓋体
１４ａ  凹部
１４ｂ  内リブ（ガイド部）
１５    係合部
１５ａ  係合凸部
１５ｂ  係合受部
１６    開口部
２０    給水装置
２１    給水本体
２１ａ  給水流路
２２    電磁弁
２２１  弁体部
２２２  電子部品
２２ａ  コード差込部
２４    流路開閉部
２５    外れ防止部材
２６    コード部材
【図１】
2020133304.tif 000003
【図２】
2020133304.tif 000004
【図３】
2020133304.tif 000005
【図４】
2020133304.tif 000006
【図５】
2020133304.tif 000007
【図６】
2020133304.tif 000008
【図７】
2020133304.tif 000009
【図８】
2020133304.tif 000010